(57)【要約】【課題】過去の時刻を指定することで、指定された時刻に放映されていた過去の放送番組の再生をすることのできるビデオレコーダおよびビデオシステムを提供する【解決手段】制御部２２は、ディスクドライブ２３への記録を制御する記録制御部２２１と、ディスクドライブ２３からの再生を制御する再生制御部２２２と、過去のテレビ番組の時刻表を記憶する番組時刻表記憶部２２３と、テレビ信号と時刻情報とをディスクドライブ２３へ記録する手段とを有する。【選択図】      図１
2005110117.tif 000002
【特許請求の範囲】
【請求項１】
テレビ信号のチューニングを行うチューナーと、前記テレビ信号を記録再生するディスクドライブと、前記ディスクドライブへの記録再生を制御する制御部とを有し、前記制御部は、前記ディスクドライブへの記録を制御する記録制御部と、前記ディスクドライブからの再生を制御する再生制御部と、過去のテレビ番組の時刻表を記憶する番組時刻表記憶部と、前記テレビ信号と時刻情報とを前記ディスクドライブへ記録する手段とを有することを特徴とするビデオレコーダ。
【請求項２】
前記制御部は、前記チューナーからの前記テレビ信号と前記テレビ信号が記録されるときの前記時刻情報とを前記ディスクドライブへ連続して記録する手段と、最も古い前記テレビ信号から消去していく手段とを有することを特徴とする請求項１記載のビデオレコーダ。
【請求項３】
前記制御部は、指定された前記時刻情報から前記ディスクドライブへ記録された前記テレビ信号を検索し、指定された時刻に記録された前記テレビ信号を再生する手段を有することを特徴とする請求項１記載のビデオレコーダ。
【請求項４】
前記制御部は、指定された過去のテレビ番組時刻表を前記番組時刻表記憶部から読み出し、指定された過去のテレビ番組の放映時刻を取得し、取得した時刻から前記ディスクドライブへ記録された前記テレビ信号を検索し、指定された時刻に記録された過去の前記テレビ番組を再生する手段を有することを特徴とする請求項１記載のビデオレコーダ。
【請求項５】
前記制御部は、前記ディスクドライブのディスクのセクターの先頭に前記時刻情報を記録する手段を有することを特徴とする請求項１記載のビデオレコーダ。
【請求項６】
請求項１乃至５の何れか１項記載のビデオレコーダを有することを特徴とするビデオシステム。
【請求項７】
複数の前記ビデオレコーダと、テレビ信号を受信し前記ビデオレコーダに入力するテレビ信号入力部と、前記ビデオレコーダを制御し前記テレビ信号を表示装置に表示させるマスター制御部と、時刻情報を認識するタイマーと、前記テレビ信号入力部と前記ビデオレコーダと前記マスター制御部と前記タイマーとを実装する筐体とを有し、前記マスター制御部は、リモートコントローラからの入力信号により前記ビデオレコーダを選択するチャンネル切替部と、時刻情報を前記ビデオレコーダに送信する制御出力部とを有することを特徴とする請求項６記載のビデオシステム。
【請求項８】
前記筐体は、前記テレビ信号を記録するテレビ放送局の数に応じて前記ビデオレコーダを増設する手段を有することを特徴とする請求項７記載のビデオシステム。
【請求項９】
前記筐体は、前記ビデオレコーダを搭載する複数のスロットを有することを特徴とする請求項７または８記載のビデオシステム。
【請求項１０】
前記タイマーは、複数の前記ビデオレコーダと接続されることを特徴とする請求項７記載のビデオシステム。
【請求項１１】
前記マスター制御部は、前記ビデオレコーダから前記テレビ信号が入力される映像入力部と、前記テレビ信号を前記表示装置に出力する映像出力部とを有し、前記制御出力部から前記リモートコントローラからの入力信号による前記時刻情報を前記再生制御部に送信し、前記再生制御部で前記時刻情報をもとに前記ディスクドライブから読み出した前記テレビ信号を前記映像入力部で受信し、前記映像出力部を介して前記表示装置に前記テレビ信号を表示させることを特徴とする請求項７記載のビデオシステム。
【発明の詳細な説明】
【技術分野】
【０００１】
本発明は、ビデオレコーダおよびビデオシステムに関し、特に、放送されるテレビ信号と、テレビ放送信号と対応した時刻情報とを共にハードディスクドライブに記録しておき、過去の時刻を指定することで、指定された時刻に放映されていた過去の放送番組の再生をすることのできるビデオレコーダおよびビデオシステムに関する。
【背景技術】
【０００２】
近年、ハードディスクドライブ（ＨＤＤ）を使用したビデオレコーダーが市場に参入しきており、ＨＤＤのビデオレコーダは、従来のビデオテープレコーダーと比較し、ユーザが磁気テープ媒体を交換する必要性がないことによる操作性の向上、放送より多少遅らせて再生できるタイムシフト機能、或いは、放送番組のジャンル別のキーワード選択により、関連性のある番組を録画できる機能などの多機能装備により、ユーザーアべーラビリティーの向上を図り、ユーザにとって非常に便利なものとなっている。
【０００３】
しかし、上記ＨＤＤのビデオレコーダは、一般には、任意の放送番組を録画して、録画後に任意の放送番組を再生するという図式であり、従来のビデオテープレコーダーと変わっていない。
【０００４】
そこで、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）信号をＭＰＥＧ（Ｍｏｖｉｎｇ  Ｐｉｃｔｕｒｅ  Ｅｘｐｅｒｔｓ  Ｇｒｏｏｐ）２のデジタル信号に変換する少なくとも一つのテレビ信号入力部と、ＭＰＥＧ２の信号をＮＴＳＣ信号に変換する少なくとも一つのテレビ信号出力部と、テレビ信号を磁気記録部に記録する少なくとも一つの記録部と、磁気記録部からのテレビ信号を再生する少なくとも一つの再生部と、何れかのテレビ信号入力部または再生部からの入力を何れかのテレビ信号出力部または記録部に出力し、かつ、その出力を複数同時に保持可能な切替部とを設け、一般家庭で使用されるビデオ装置において、複数のチャンネルの同時録画、再生と録画の同時実行、録画中の番組の追いかけ再生、テープ交換不要、長時間録画などを１台で実現可能なものがある（例えば、特許文献１参照。）。
【０００５】
【特許文献１】特開２００１ー００８１４４号公報
【発明の開示】
【発明が解決しようとする課題】
【０００６】
上述の一般的なＨＤＤを使用したビデオレコーダは、操作性の向上、ユーザーアべーラビリティーの向上を図ってはいるが、任意の放送番組を録画して、録画後に任意の放送番組を再生し、或いは、数分まえの映像というような相対時間の指定による再生を行うものであり、これらの点においては、従来のビデオテープレコーダーと変わっておらず、過去の時刻を指定することで、指定された時刻に放映されていた過去の放送番組の再生をすることはできないという課題がある。
【０００７】
また、特許文献１記載の技術は、複数のチャンネルの同時録画、再生と録画の同時実行、録画中の番組の追いかけ再生、テープ交換不要、長時間録画などを１台で実現可能できるものであるが、記録部（ＨＤＤ）には、放送されるテレビ信号をのみ記録され、放送されるテレビ信号と対応した時刻情報は、記録されないため、やはり、過去の時刻を指定することで、指定された時刻に放映されていた過去の放送番組の再生をすることはできないという課題がある。
【０００８】
本発明の目的は、上記課題を解決すべく、放送されるテレビ信号と、テレビ信号と対応した時刻情報とを共にＨＤＤに記録し、過去の時刻を指定することで、指定された時刻に放映されていた過去の放送番組の再生をすることができ、且つ、複数のテレビ局の放送信号を同時に記録することのできるビデオレコーダおよびビデオシステムを提供することにある。
【課題を解決するための手段】
【０００９】
本発明のビデオレコーダは、テレビ信号のチューニングを行うチューナーと、テレビ信号を記録再生するディスクドライブと、ディスクドライブへの記録再生を制御する制御部とを有し、制御部は、ディスクドライブへの記録を制御する記録制御部と、ディスクドライブからの再生を制御する再生制御部と、過去のテレビ番組の時刻表を記憶する番組時刻表記憶部と、テレビ信号と時刻情報とをディスクドライブへ記録する手段とを有することを特徴とする。
【００１０】
制御部は、チューナーからのテレビ信号とテレビ信号が記録されるときの時刻情報とをディスクドライブへ連続して記録する手段と、最も古いテレビ信号から消去していく手段とを有することを特徴とする。
【００１１】
制御部は、指定された時刻情報からディスクドライブへ記録されたテレビ信号を検索し、指定された時刻に記録されたテレビ信号を再生する手段を有することを特徴とする。
【００１２】
制御部は、指定された過去のテレビ番組時刻表を番組時刻表記憶部から読み出し、指定された過去のテレビ番組の放映時刻を取得し、取得した時刻からディスクドライブへ記録されたテレビ信号を検索し、指定された時刻に記録された過去のテレビ番組を再生する手段を有することを特徴とする。
【００１３】
制御部は、ディスクドライブのディスクのセクターの先頭に時刻情報を記録する手段を有することを特徴とする。
【００１４】
本発明のビデオシステムは、ビデオレコーダを有することを特徴とする。
【００１５】
複数のビデオレコーダと、テレビ信号を受信しビデオレコーダに入力するテレビ信号入力部と、ビデオレコーダを制御しテレビ信号を表示装置に表示させるマスター制御部と、時刻情報を認識するタイマーと、テレビ信号入力部とビデオレコーダとマスター制御部とタイマーとを実装する筐体とを有し、マスター制御部は、リモートコントローラからの入力信号によりビデオレコーダを選択するチャンネル切替部と、時刻情報をビデオレコーダに送信する制御出力部とを有することを特徴とする。
【００１６】
筐体は、テレビ信号を記録するテレビ放送局の数に応じてビデオレコーダを増設する手段を有することを特徴とする。
【００１７】
筐体は、ビデオレコーダを搭載する複数のスロットを有することを特徴とする。
【００１８】
タイマーは、複数のビデオレコーダと接続されることを特徴とする。
【００１９】
マスター制御部は、ビデオレコーダからテレビ信号が入力される映像入力部と、テレビ信号を表示装置に出力する映像出力部とを有し、制御出力部からリモートコントローラからの入力信号による時刻情報を再生制御部に送信し、再生制御部で時刻情報をもとにディスクドライブから読み出したテレビ信号を映像入力部で受信し、映像出力部を介して表示装置にテレビ信号を表示させることを特徴とする。
【発明の効果】
【００２０】
本発明のビデオシステムは、放送されるテレビ信号と、テレビ信号と対応したタイマーの時刻情報とを共にハードディスクドライブに記録しておき、過去の番組時刻表を番組時刻表記憶部に記憶しておき、リモートコントローラから過去の時刻を指定したとき、または、過去のテレビ番組時刻表から任意の番組を指定したとき、指定された時刻に放映されていた過去の放送番組の再生をすることができるという効果がある。
【００２１】
また、ビデオレコーダを複数設けることにより、複数のテレビ局の放送信号を同時に記録することができるという効果がある。
【００２２】
更に、筐体は、複数のスロットを設け、ビデオレコーダをスロットから挿入することにより、コネクタを介して取り付けることができ、ビデオレコーダの増設、取り外しを容易に行うことができるという効果がある。
【発明を実施するための最良の形態】
【００２３】
次に、本発明を実施するための最良の形態について、図面を参照して説明する。
【００２４】
図１は、本発明のビデオシステム１の実施の形態を示す概略構成ブロック図、図２は、ビデオシステム１にビデオレコーダ２を増設する動作を説明するための概略図、図３は、テレビ信号２４４と時刻情報２４３とを記録するフォーマットの概要を説明するための図である。
【００２５】
図１を参照すると、ビデオシステム１は、複数のビデオレコーダ２と、アンテナ１６で受信したテレビ信号をビデオレコーダ２のチューナ２１に入力するテレビ信号入力部１３と、ビデオレコーダ２を制御しテレビ信号を表示装置１４に表示させるマスター制御部３と、時刻情報を認識し複数のビデオレコーダ２と接続されるタイマー１２と、テレビ信号入力部１３とビデオレコーダ２とマスター制御部３とタイマー１２とを実装する筐体１１とで構成され、マスター制御部３は、リモートコントローラ１５からの入力信号によりビデオレコーダ２を選択するチャンネル切替部３１と、時刻情報をビデオレコーダ２に送信する制御出力部３２と、ビデオレコーダ２からテレビ信号が入力される映像入力部３３と、テレビ信号を表示装置１４に出力する映像出力部３４とで構成される。
【００２６】
図１、図３を参照すると、ビデオレコーダ２は、テレビ信号のチューニングを行うチューナー２１と、テレビ信号を記録再生するハードディスクドライブ（ＨＤＤ）２３と、ハードディスクドライブ２３への記録再生を制御する制御部２２とで構成され、制御部２２は、ハードディスクドライブへ２３への記録を制御する記録制御部２２１と、ハードディスクドライブ２３からのデータの再生を制御する再生制御部２２２と、過去のテレビ番組の時刻表を記憶する番組時刻表記憶部２２３とで構成され、テレビ信号データ２４４と時刻情報データ２４３とをハードディスクドライブ２３へ記録し、ハードディスクドライブ２３のディスク２３１の各トラック２４０上の各セクター２４１の先頭２４２に時刻情報データ２４３を記録するよう構成される。
【００２７】
図２を参照すると、筐体１１は、ビデオレコーダ２を搭載する際の挿入口となる複数のスロット１１１を有し、テレビ信号を記録するテレビ放送局の数に応じてビデオレコーダ２をスロット１１１から挿入してコネクタ２４を介して取り付け、増設できるよう構成される。
【００２８】
次に、上述のように構成されたビデオシステム１の動作について、図１を参照して説明する。
【００２９】
テレビ信号入力部１３からのテレビ放送信号、および、タイマー１２からの時刻情報は、各々のビデオレコーダ２に分配される（図１では、ビデオレコーダ２を３台図示しているが、台数は、限定されるものではない）。
【００３０】
テレビ放送信号の録画動作は、先ず、各ビデオレコーダ２に対して異なる放送信号を受信するように設定することで、ビデオシステム１は、複数のテレビ局の放送信号を各々のビデオレコーダ２で同時に記録できるよう稼動する。
【００３１】
このとき、記録制御部２２１は、チューナー２１からのテレビ信号（映像信号）を圧縮化処理した信号（図示しないが、ＭＰＥＧ２：Ｍｏｖｉｎｇ  Ｐｉｃｔｕｒｅ  Ｅｘｐｅｒｔｓ  Ｇｒｏｕｐ２方式による圧縮符号化処理した信号）をハードディスクドライブ２３に書き込む制御を行うと共に、タイマー１２からの時刻情報を図３に示すフォーマットで、ハードディスクドライブ２３に書き込む制御を行う。
【００３２】
なお、制御部２２に図示しないキャッシュメモリを設け、チューナー２１からのテレビ信号データを一旦キャッシュメモリに取り込んで記憶し、キャッシュメモリにＦＩＦＯ（Ｆｉｒｓｔ  ｉｎ  Ｆｉｒｓｔ  Ｏｕｔ）機能を持たせ、キャッシュメモリからはきだしたデータをハードディスクドライブ２３に書き込む制御を記録制御部２２１にて行うようにしてもよいことは云うまでもない。
【００３３】
上述のように、実質的なユーザーの操作は、ビデオレコーダ２に対して受信するテレビ局の放送信号を設定することのみであるが、放送信号に１対１対応でビデオレコーダ２を用意し、販売する方式をとれば、ユーザーは、ビデオレコーダ２を筐体１１のスロット１１１の所定位置に差し込むだけで、録画に関する設定を排除することができる。
【００３４】
近年、ハードディスクドライブ２３の大容量化の進展は著しいものがあり、現在、３００ＧＢ（ギガバイト）クラスの記憶容量を持つものがあり、本実施の形態に３００ＧＢのハードディスクドライブ２３を用い、２Ｍｂｉｔ／ｓｅｃの転送速度で情報を書き込むとすると、３００時間強の連続記録が可能となる。
【００３５】
従って、例えば、１日に１０時間程度の連続録画を行うとき、１ヶ月分の全テレビ局の放送分の連続録画を行うことができ（但し、テレビ局の数だけビデオレコーダ２を設けた場合）、また、制御部２２の制御により、最も古いテレビ信号から順次消去していくことにより（この場合、テレビ放送の録画の保存期間は、１ヶ月となる）、ユーザーは、過去１ヶ月におけるテレビ放送の録画を保存した状態で、長期間に亘り、連続録画できることになる。
【００３６】
次に、テレビ放送信号の再生動作について説明する。
【００３７】
ユーザーは、リモートコントローラ１５を操作して、マスター制御部３を制御することにより再生動作を行うことになるが、マスター制御部３は、リモートコントローラ１５からの放送信号（チャンネル）選択情報と放送時刻情報とを受信すると、チャンネル切替部３１でビデオレコーダ２を選択し、制御出力部３２で選択されたビデオレコーダ２の再生制御部２２２に時刻情報を送信すると、再生制御部２２２は、時刻情報をもとにハードディスクドライブ２３から録画されたテレビ信号を検索して読み出し、マスター制御部３は、録画されたテレビ信号を映像入力部３３で受信し、映像出力部３４を介して表示装置１４にテレビ信号を表示させることで再生が行われる（なお、図示しないが、制御部２２またはマスター制御部３でＭＰＥＧ２方式の圧縮信号をＮＴＳＣ信号に変換してテレビ信号を表示装置１４に出力し、表示装置１４に映像を表示させる）。
【００３８】
ユーザーが、リモートコントローラ１５を操作して、放送信号選択情報と過去のテレビ番組時刻表から任意の番組を指定したときは、マスター制御部３は、チャンネル切替部３１でビデオレコーダ２を選択し、制御出力部３２で選択されたビデオレコーダ２の制御部２２にテレビ番組時刻表の情報を送信すると、再生制御部２２２は、番組時刻表記憶部２２３から該当するテレビ番組を読み出し、指定された過去のテレビ番組の放映時刻を取得し、取得した時刻からハードディスクドライブ２３へ記録されたテレビ信号を検索し、指定された時刻に記録された過去のテレビ番組を再生することになる。
【００３９】
再生動作が行われている間も、全てのビデオレコーダ２は、連続録画動作を行っており、ユーザーは、過去１ヶ月間に放映されたテレビ放送を、任意の時刻を指定して見ることができ（但し、１日１０時間の連続録画であれば、録画時間帯の時刻に限定されるが、１日２４時間連続録画であれば、任意の時刻指定が可能であり、この場合、１２日間程度の連続録画となり、過去１２日間に放送された任意のテレビ放送を見ることができることになる）、通常のテレビに、時刻を指定して過去の放送番組を再生可能な機能を付加したものとなり、非常にユーザーアベーラビリティを向上させたものになる。
【００４０】
なお、上述の実施の形態においては、ビデオレコーダ２の構成として、１つのハードディスクドライブ２３に対して１つのチューナ２１を設けているが、チューナ２１を複数設け、設けたチューナ２１の数のテレビ放送局の放送信号をハードディスクドライブ２３に書き込む構成、また、ハードディスクドライブ２３を複数実装する構成、或いは、ディスクアレイ構成とすることなども、本発明に含まれることは云うまでもない。
【００４１】
また、ビデオシステム１は、普及している一般的なビデオテープレコーダーの置き換えを主眼とした構成としているが、ユーザーの操作や映像出力をネットワーク経由で行うこともでき、この場合、複数のユーザーが使用することを考慮して、マスター制御部３を複数設け、且つ、ハードディスクドライブ２３として高性能のもの（ランダムアクセス性能の高いもの）を使用することにより達成できるが、詳細な説明は省略する。
【図面の簡単な説明】
【００４２】
【図１】本発明のビデオシステムの実施の形態を示す概略構成ブロック図である。
【図２】本発明のビデオシステムにビデオレコーダを増設する動作を説明するための概略図である。
【図３】テレビ信号と時刻情報とを記録するフォーマットの概要を説明するための図である。
【符号の説明】
【００４３】
１    ビデオシステム
２    ビデオレコーダ
２１    チューナ
２２    制御部
２２１    記録制御部
２２２    再生制御部
２２３    番組時刻表記憶部
２３    ハードディスクドライブ
２３１    ディスク
２４０    トラック
２４１    セクター
２４２    先頭
２４３    時刻情報データ
２４４    テレビ信号データ
２４    コネクタ
３    マスター制御部
３１    チャンネル切替部
３２    制御出力部
３３    映像入力部
３４    映像出力部
１１    筐体
１２    タイマー
１３    テレビ信号入力部
１４    表示装置
１５    リモートコントローラ
１６    アンテナ
【図１】
2005110117.tif 000003
【図２】
2005110117.tif 000004
【図３】
2005110117.tif 000005